(57)【特許請求の範囲】
【請求項１】
少なくとも部分的にユーザー・パフォーマンス・フィーチャを提供しない少なくとも１つの交換装置（ＬＥ１，２）に接続された少なくとも１つの通信端末装置（ＫＥ１...ｍ，ＫＥｎ...ｚ）に対するユーザー・パフォーマンス・フィーチャの実現のための方法であって、
物理的に前記交換装置（ＬＥ１）に接続された少なくとも１つの通信端末装置（ＫＥｃ）は、前記交換装置（ＬＥ１）に接続されユーザー・パフォーマンス・フィーチャを提供する更に別の交換装置（ＣＯＮＴ）に仮想通信端末装置（ＫＥｃ´）として割り当てられており、
該仮想通信端末装置（ＫＥｃ´）に対するユーザー・パフォーマンス・フィーチャは少なくとも部分的に前記更に別の交換装置（ＣＯＮＴ）によって制御される、ユーザー・パフォーマンス・フィーチャの実現のための方法において、
物理的に前記交換装置（ＬＥ１）に接続された前記少なくとも１つの通信端末装置（ＫＥｃ）からの又は該少なくとも１つの通信端末装置（ＫＥｃ）への通信関係の構築は交換技術的な意味で前記更に別の交換装置（ＣＯＮＴ）を介して行われ、この通信関係のシグナリングは前記更に別の交換装置（ＣＯＮＴ）によって制御され、
シグナリングされた通信関係に依存して、前記仮想通信端末装置（ＫＥｃ´）の瞬時の交換技術的な及び/又は作動技術的な状態を表す相応の状態情報が導出され、前記更に別の交換装置（ＣＯＮＴ）に格納され、
前記仮想通信端末装置（ＫＥｃ´）に対するユーザー・パフォーマンス・フィーチャはその都度瞬時に格納された状態情報に依存して制御されることを特徴とする、ユーザー・パフォーマンス・フィーチャの実現のための方法。
【請求項２】
少なくとも１つの通信端末装置（ＫＥｃ）を活性化すると自動的に更に別の交換装置（ＣＯＮＴ）への有効チャネルコネクション（ｖｎｋ）が構築され、前記通信端末装置（ＫＥｃ）は構築された前記有効チャネルコネクション（ｖｎｋ）によって交換されるように、交換装置（ＬＥ１）は管理/処理されていることを特徴とする、請求項１記載の方法。
【請求項３】
構築された有効チャネルコネクション（ｖｎｋ）及び交換装置（ＬＥ１）を介して少なくとも１つの通信端末装置（ＫＥｃ）を一意的にアドレス指定する識別情報（ＶＮＲ）が更に別の交換装置（ＣＯＮＴ）に伝達され、
通信端末装置（ＫＥｃ）及び/又は交換装置（ＬＥ１）のコンフィギュレーション情報が前記有効チャネルコネクション（ｖｎｋ）を介して前記更に別の交換装置（ＣＯＮＴ）に伝達され、
該更に別の交換装置（ＣＯＮＴ）においてユーザー・パフォーマンス・フィーチャが伝達されたコンフィギュレーション情報に依存して相応の仮想通信端末装置（ＫＥｃ´）に対して活性化乃至は構成されることを特徴とする、請求項２記載の方法。
【請求項４】
通信端末装置（ＫＥｃ）の方向において構築すべき通信関係はまず最初に更に別の交換装置（ＣＯＮＴ）に交換され、次いで該更に別の交換装置（ＣＯＮＴ）に交換された通信関係は相応の識別情報（ＶＮＲ）により交換装置（ＬＥ１）に転送され、この交換装置（ＬＥ１）から少なくとも１つの通信端末装置（ＫＥｃ）にシグナリングされることを特徴とする、請求項３記載の方法
【請求項５】
通信端末装置（ＫＥｃ）に割り当てられた呼び出し番号（ＲＮＲ）は交換技術的なパフォーマンス・フィーチャ「ナンバー・ポータビリティ」の枠内でポートされたものとして特徴付けられ、
通信端末装置（ＫＥｃ）の方向において構築すべき通信関係は、前記交換技術的なパフォーマンス・フィーチャ「ナンバー・ポータビリティ」の枠内で相応の交換装置（ＬＥ１）に交換され、該交換装置（ＬＥ１）には前記通信端末装置（ＫＥｃ）が接続されており、次いで前記交換技術的なパフォーマンス・フィーチャ「ナンバー・ポータビリティ」を用いて更に別の交換装置（ＣＯＮＴ）に交換され、次いで相応の識別情報（ＶＮＲ）によって前記交換装置（ＬＥ１）に転送され、この交換装置（ＬＥ１）から少なくとも１つの通信端末装置（ＫＥｃ）にシグナリングされることを特徴とする、請求項３記載の方法。
【請求項６】
通信端末装置（ＫＥｃ）の方向において構築すべき通信関係は、まず最初に相応の交換装置（ＬＥ１）に交換され、該交換装置（ＬＥ１）には前記通信端末装置（ＫＥｃ）が接続されており、次いで交換技術的なパフォーマンス・フィーチャ「呼転送」の枠内で更に別の交換装置（ＣＯＮＴ）に転送され、次いで相応の識別情報（ＶＮＲ）によって前記交換装置（ＬＥ１）に転送され、この交換装置（ＬＥ１）から少なくとも１つの通信端末装置（ＫＥｃ）にシグナリングされることを特徴とする、請求項３記載の方法。
【請求項７】
更に別の交換装置（ＣＯＮＴ）は通信ネットワーク（ＫＮ）の不可欠の構成部材であり、少なくとも１つの通信端末装置（ＫＥｃ）から及び該少なくとも１つの通信端末装置（ＫＥｃ）へと構築すべき通信関係は常に前記更に別の交換装置（ＣＯＮＴ）を介して交換されることを特徴とする、請求項１〜６のうちの１項記載の方法。
【請求項８】
少なくとも１つの通信端末装置（ＫＥｃ）をアドレス指定する識別情報（ＶＮＲ）は交換装置（ＬＥ１）及び更に別の交換装置（ＬＥ２）に格納されていることを特徴とする、請求項３〜７のうちの１項記載の方法。
【請求項９】
コンフィギュレーション情報は通信端末装置（ＫＥｃ）における加入者自身の入力の枠内で形成されることを特徴とする、請求項３〜８のうちの１項記載の方法。
【請求項１０】
交換装置（ＬＥ１）は中継線を介して更に別の交換装置（ＣＯＮＴ）に接続されていることを特徴とする、請求項１〜９のうちの１項記載の方法。
【請求項１１】
識別情報は交換装置（ＬＥ１）から更に別の交換装置（ＣＯＮＴ）への有効チャネルコネクションの構築の際に交換技術的なサービス「コーリング・ライン・アイデンティフィケーション」ＣＬＩによって伝達されることを特徴とする、請求項３〜１０のうちの１項記載の方法。
【請求項１２】
コンフィギュレーション情報は、インバンド伝送方式の枠内で又は多重周波数方式 ＭＦＶの枠内で更に別の交換装置（ＣＯＮＴ）に伝達され、この更に別の交換装置（ＣＯＮＴ）において相応に評価されることを特徴とする、請求項３〜１１のうちの１項記載の方法。
【請求項１３】
少なくとも１つの通信端末装置（ＫＥｃ）はアナログ又はディジタル加入者端子（ＡＧ）を介して交換装置（ＬＥ１）に接続されていることを特徴とする、請求項１〜１２のうちの１項記載の方法。
【請求項１４】
更に別の交換装置（ＣＯＮＴ）によってグループ固有のパフォーマンス・フィーチャが提供され、少なくとも１つの交換装置（ＬＥ１、２）に接続された通信端末装置（ＫＥ１...ｍ，ＫＥｎ...ｚ）の少なくとも一部分及び任意に前記更に別の交換装置（ＣＯＮＴ）に接続された少なくとも１つの通信端末装置（ＫＥＬ）は、少なくとも１つのグループに割り当て可能であることを特徴とする、請求項１〜１３のうちの１項記載の方法。
【請求項１５】
少なくとも１つのグループには少なくとも１つのグループ独自のグループ呼び出し番号が割り当てられていることを特徴とする、請求項１４記載の方法。
【請求項１６】
グループ独自のグループ呼び出し番号に交換すべき通信関係において、少なくとも１つのグループにはグループ独自のサーチ方法、すなわちハンティング・アルゴリズムがグループ内の瞬時にフリーな通信端末装置（ＫＥ１...ｍ，ＫＥｎ...ｚ）を検出するために割り当てられていることを特徴とする、請求項１５記載の方法。
【請求項１７】
グループには少なくとも１つのグループ独自の待ち行列が割り当てられており、サーチ方法の枠内で瞬時にフリーな通信端末装置（ＫＥ１...ｍ，ＫＥｎ...ｚ）がグループ内で検出されない場合には、通信関係が少なくとも１つの待ち行列に入れられ、前記グループ内でフリーな通信端末装置（ＫＥ１...ｍ，ＫＥｎ...ｚ）が検出された後で前記通信関係が前記待ち行列から取り出され、前記フリーな通信端末装置（ＫＥ１...ｍ，ＫＥｎ...ｚ）に交換されることを特徴とする、請求項１４〜１６のうちの１項記載の方法。
【請求項１８】
少なくとも１つの通信端末装置（ＫＥｃ）は
アナログ通信端末装置（ＫＥｃ）として又は
ＩＳＤＮ用通信端末装置（ＫＥｃ）として又は
コードレス通信端末装置（ＫＥｃ）として又は
モバイルワイヤレス移動無線通信端末装置（ＫＥｃ）として構成されていることを特徴とする、請求項１〜１７のうちの１項記載の方法。
【請求項１９】
少なくとも１つの通信端末装置（ＫＥｃ）を一意的にアドレス指定する識別情報（ＶＮＲ）は加入者呼び出し番号として構成されていることを特徴とする、請求項３〜１８のうちの１項記載の方法。
【請求項２０】
少なくとも部分的にパフォーマンス・フィーチャを提供しない交換装置（ＬＥ１，２）に接続された少なくとも１つの通信端末装置（ＫＥ１...ｍ，ＫＥｎ...ｚ）に対するユーザー・パフォーマンス・フィーチャの実現のための通信装置であって、
交換装置（ＬＥ１）は更に別の交換装置（ＣＯＮＴ）に接続されており、
前記交換装置（ＬＥ１）及び前記更に別の交換装置（ＣＯＮＴ）には、物理的に前記交換装置（ＬＥ１）に接続された少なくとも１つの通信端末装置（ＫＥｃ）を仮想通信端末装置（ＫＥｃ´）として前記更に別の交換装置（ＣＯＮＴ）に仮想的に割り当てるための割り当て手段が設けられている、ユーザー・パフォーマンス・フィーチャの実現のための通信装置において、
該更に別の交換装置（ＣＯＮＴ）は全てのユーザー・パフォーマンス・フィーチャを提供し制御するための制御手段を有し、
前記割り当て手段及び前記制御手段は次のように構成されている、すなわち、
物理的に前記交換装置（ＬＥ１）に接続された少なくとも１つの通信端末装置（ＫＥｃ）からの又は該少なくとも１つの通信端末装置（ＫＥｃ）への通信関係の構築は交換技術的な意味で前記更に別の交換装置（ＣＯＮＴ）を介して行われ、この通信関係のシグナリングは前記更に別の交換装置（ＣＯＮＴ）によって行われ、
シグナリングされた通信関係に依存して、瞬時の交換技術的な及び/又は作動技術的な状態を表す相応の状態情報が導出され、前記更に別の交換装置（ＣＯＮＴ）に格納され、
前記仮想通信端末装置（ＫＥｃ´）に対するユーザー・パフォーマンス・フィーチャはその都度瞬時に格納された状態情報に依存して制御されるように構成されていることを特徴とする、ユーザー・パフォーマンス・フィーチャの実現のための通信装置。
【請求項２１】
少なくとも１つの通信端末装置（ＫＥｃ）は
アナログ通信端末装置（ＫＥｃ）として又は
ＩＳＤＮ用通信端末装置（ＫＥｃ）として又は
コードレス通信端末装置（ＫＥｃ）として又は
モバイルワイヤレス移動無線通信端末装置（ＫＥｃ）として構成されていることを特徴とする、請求項２０記載の通信装置。
【請求項２２】
交換装置（ＬＥ１）及び更に別の交換装置（ＣＯＮＴ）は通信ネットワーク（ＫＮ）に設けられていることを特徴とする、請求項２０又は２１記載の通信装置。
【請求項２３】
交換装置（ＬＥ１）は移動無線ネットワークに設けられた移動無線交換装置として構成されており、
更に別の交換装置（ＣＯＮＴ）は公衆固定ネットワーク（ＫＮ）に設けられており、
前記移動無線交換装置に接続された少なくとも１つの通信端末装置（ＫＥｃ）はワイヤレスモバイル通信端末機器として構成されていることを特徴とする、請求項２０〜２２のうちの１項記載の通信装置。
【発明の詳細な説明】
【０００１】
現下の通信ネットワークないし電気通信網は、通信装置と交換装置およびこれらの装置を有線ないし無線で接続する接続路とから形成されている。この場合交換装置（ネットワーク・ノードとも称する）にはそのつどの個々の加入者に割当てられている通信装置ないし通信端末装置（例えば電話端末装置、パソコンなど）が接続されている。共通のネットワーク・ノードに接続されている通信装置間の情報伝達に対しては、共用しているネットワーク・ノードを介して接続が直接的につなげられる。しかしながら異なるネットワーク・ノードに接続された通信端末装置間ないし加入者間の情報の伝達を可能にするためには、たとえば中継線（トランクとも称する）を介して個々のネットワーク・ノードのネットワーク化が必要である。
【０００２】
現下の電気通信ネットワークに設けられているディジタル交換装置（例えばシーメンス社のディジタル交換システム“ＥＷＳＤ”など）では、ディジタル交換マトリックスとコーディネート制御（これは周辺プロセッサによって支援されている）がベースにされている。この交換システムは、モジュラ構造を有しており、すなわち交換マトリックス、クロックジェネレータ、コーディネーションプロセッサからなる中心的な核の周りで、外部線路（例えば加入者線や接続線）のための端子グループがリクエストに応じて接続される。この交換網を介して全てのユーザーチャネルコネクションが交換接続される。これらのライン・トランク・グループは、外部線路の接続のためのインターフェースを形成している。様々な方式の外部線路の接続、例えばアナログやディジタルの加入者線と中継線をさらなる交換装置または通信ネットワークに接続するためには、異なって構成されたライン・トランク・グループの存在が必要である。これらのライン・トランク・グループはそれぞれ、ＰＣＭコーディングも含めてシステム内部インターフェースに外部線路を合わせるための多数の接続ユニット（以下では加入者線ユニットとも称する）を含んでいる。
【０００３】
現下の通信ネットワークのプロバイダによれば、比較的多くの設備投資が行われている（例えばそれぞれの通信ネットワーク内に配置される多くの装置、例えば交換装置、インターナショナルゲートウエイ交換機、他のネットワークプロバイダへのゲートウエイ、ネットワークシグナリング装置、サービスおよびメンテナンスセンタ、相応の接続/伝送装置を備えた加入者線や中継線など）。財政的ないしは決算的な技術手段の意味では、通信ネットワーク内に配置される装置、特に交換装置は、１２年から３０年のサイクルの減価償却で評価される。ネットワークプロバイダ側の投資における年間コストは、通常は不動産における全資本のほんの一部しか含まれない。ネットワークプロバイダの投資比率には、次のような目的がベースに置かれている。すなわち既に通信ネットワーク内に投資された全資本を、特により短くなりつつある投資サイクルの中で、なるべく長期に亘って保証することである。
【０００４】
現下の交換装置のコスト配分に関しては、交換装置に計上される各交換装置に配属されているライン・トランク・グループないし加入者線ユニットに対するコストのほぼ半分が省かれることが確かめられている。しかしながら現下の通信ネットワークににおいては、特に加入者側ないしは加入者接続領域において、大抵のイノベーションが導入されている。例えば新たなユーザー・パフォーマンス・フィーチュア（単にフューチャとも称する）が開発されれば、それによって通信ネットワーク内に配置された個々の加入者にとって、個々のユーザー・パフォーマンス・フィーチュアの同時に高められた供給のもとで、より多くの快適性が提供される。新たなユーザー・パフォーマンス・フィーチュアの導入によって、ネットワークプロバイダの側では売り上げの増加が見込まれる。グローバルな市場開発の環境において生じた市場抑圧によって、現下の通信ネットワークに例えば次のような状況が生じるとする。すなわち通信ネットワーク内に散発的に配置された交換装置、特に外国メーカによる交換装置のもとでさらなる開発が行われていないとすると、長期に亘ってオーバーホールされていない、古くなったバージョン規格に留まったままとなる。ネットワークプロバイダの側で、加入者に提供するユーザー・パフォーマンス・フィーチュアの実際化が計画されても、加入者は、現下のユーザー・パフォーマンス・フィーチュア・バージョン規格を有する新たな交換装置に接続されなければならない。このことは、非常に高い経済的なコストに結び付く。
【０００５】
本発明の課題は、通信ネットワーク内に配置された通信端末装置ないし加入者に対する新たなもしくは実際化されるユーザー・パフォーマンス・フィーチュアの提供に対する経済的なコストを低減することである。
【０００６】
この課題は、独立請求項の上位概念と特徴部分に記載された本発明による方法および通信装置によって解決される。
【０００７】
少なくとも１つの通信装置に対するユーザー・パフォーマンス・フィーチュアの実現のための本発明による方法では、通信端末装置が、少なくとも部分的にパフォーマンス・フィーチュアを提供しない交換装置に接続される。本発明による方法の実質的な観点は、物理的に交換装置に接続されている少なくとも１つの通信端末装置を、交換装置と接続されている、ユーザー・パフォーマンス・フィーチュアを提供できるさらなる交換装置に仮想通信端末装置として接続することである。この仮想通信端末装置に対するユーザー・パフォーマンス・フィーチュアは、少なくとも部分的に別のさらなる交換装置によって制御される。
【０００８】
本発明による方法の大きな利点は、現下の通信ネットワークに既に配置されている例えば“旧式”の、つまり限られた規模でしかユーザー・パフォーマンス・フィーチュアに貢献できない通信装置を、さらに、通信ネットワークへの通信端末装置の接続のために用いることができることである。この場合ユーザー・パフォーマンス・フィーチュアの本来の制御は、さらなる別のかもしくは上位におかれた、目下の全てのユーザー・パフォーマンス・フィーチュアを提供できる交換装置によって制御される。本発明による方法の枠内では、例えば（ユーザー・パフォーマンス・フィーチュアの本来の制御を処理するさらなる交換装置に接続されている）既存の交換装置が集信装置のように利用される。本発明による方法によって達成される経済的なコストの低減は、次のようなことからなる。すなわち、本発明による方法の実現に必要なコスト、例えば所要のライン・トランク・グループないし交換装置群にかかる費用、集信装置として作動する交換装置の駆動制御に用いる制御装置にかかる費用が、直通接続される交換装置の僅かな部分しか含まない。既に設備配置されている交換装置の有効利用ないし再利用によって設けられた加入者線のためのライン・トランク・グループは、新たな最新の交換装置を得るためのコストを著しく低減させ得る。
【０００９】
交換装置のメーカ側の観点からは、本発明による方法は、有利には、既存の外部メーカ製の交換装置との通信ネットワーク内でも使用可能であり、特に既に設備配置されている外部メーカ製交換装置によってユーザー・パフォーマンス・フィーチュアの限られた範囲しか提供できない、つまり固有メーカの交換装置によって使用できるパフォーマンスフィーチュアの全てが提供できるわけではない場合に有利である。このようなケースでは、外部メーカ製の交換装置に接続されている任意の数の加入者に対して、本発明による方法を用いることにより、固有メーカのさらなる交換装置の配置によって所望の全てのユーザー・パフォーマンス・フィーチュアが提供できるようになる。この場合既存の外部メーカ製交換装置がさらに個別加入者の接続のために使用可能である。この本発明による方法を用いれば、交換装置に接続された所定の通信端末に対して、提供され得るユーザー・パフォーマンス・フィーチュアの規模が所期のように拡大できる。この場合交換装置に接続されるさらなる通信端末装置は、交換技術的な面と作動技術的な面の両方で交換装置に対応し得る。
【００１０】
有利には交換装置は次のように配置される。すなわち少なくとも１つの通信端末装置の活動化の際にさらなる交換装置のためのユーザーチャネルコネクションが自動的にセットアップされ、さらにセットアップされたユーザーチャネルコネクションによって通信端末装置が交換接続されるように配置される（請求項２）。さらに有利な構成によれば、本発明による方法は、交換装置内に配設されている制御ソフトウエアの変更なしで実現可能である。つまり本発明による方法の実現に対しては、ユーザーチャネルコネクションの自動的なセットアップを制御している交換装置内のユーザー・パフォーマンス・フィーチュアだけを作動モード毎に相応に設定調整するだけでよい。
【００１１】
さらに別の有利な構成によれば、少なくとも１つの通信単端末装置に対してセットアップされたユーザーチャネル接続と交換装置を介して一義的にアドレス指定されるべき識別情報がさらなる交換装置に伝送される。ユーザーチャネルコネクションを介して構成情報が通信端末装置および/または交換装置から別のさらなる交換装置に伝送され、このさらなる交換装置においてユーザー・パフォーマンス・フィーチュアが、伝送された構成情報に依存して相応の仮想通信端末装置のために活動化ないし構成される（請求項３）。さらなる交換装置では識別情報の伝送によって通信端末装置が仮想通信端末装置として識別され、ユーザー・パフォーマンス・フィーチュアが通信端末装置ないしは仮想通信端末装置のために相応に構成される。
【００１２】
有利には、交換装置に物理的に接続されている少なくとも１つの通信端末装置とのやりとりによる通信関係のセットアップが、交換技術的な意味でさらなる交換装置を介して行われる。この場合通信端末装置から開始された通信関係のセットアップのもとで、通信関係のシグナリングがさらなる交換装置によって制御される（請求項４）。さらなる交換装置を介した全ての通信関係のセットアップ（コールチャネリングとも称する）によって、物理的に交換装置に接続されている通信端末装置の目下の交換技術的及び作動技術的な状態が集中的に把握され得る。それにより有利には仮想通信端末装置に対するユーザー・パフォーマンス・フィーチュアが、把握された目下の交換技術的および/または作動技術的状態に依存して制御可能となる（請求項１４）。
【００１３】
さらに別の有利な構成例によれば、少なくとも１つの通信端末装置にアドレス指定される識別情報が交換装置に記憶され、さらなる交換装置にも記憶される（請求項９）。この有利な構成例によれば、通信端末装置に一義的に割当て可能なユーザーチャネルコネクションのセットアップが、１つの交換装置とさらなる交換装置の間で可能となる。
【００１４】
有利には、さらなる交換装置によってグループ固有のパフォーマンス・フィーチュアが提供される。この場合少なくとも１つの交換装置に接続されている通信端末装置の少なくとも一部と、場合によってはさらなる交換装置に接続されている少なくとも１つの通信端末装置が、少なくとも１つのグループに対応付け可能である（請求項１６）。この有利な構成例によれば、１つのグループに割当てられている少なくとも１つの通信端末装置に対して低コストな手法で構内交換機の機能を提供できる。
【００１５】
本発明によるユーザー・パフォーマンス・フィーチュアの実現のための方法のさらに有利な実施例並びに通信装置は従属請求項に記載されている。
【００１６】
以下では本発明による方法を２つのブロック回路図に基づいて詳細に説明する。この場合、
図１は、現下の通信ネットワークの配置構成をその中に配設されている交換装置と共に示した図であり、この場合この交換装置では通信端末装置に対するユーザー・パフォーマンス・フィーチュアの限られた規模しか提供できないものであり、
図２は、図１による通信ネットワークにおいてユーザー・パフォーマンス・フィーチュアの拡大された規模を提供する本発明による方法の実現例を示した図であり、
図３は、本発明による方法の実施に対して必要とされる呼出しチャネル形成の変化実施例を示した図であり、
図４は、本発明による方法の実施に対して必要とされる呼出しチャネル形成のさらなる変化実施例を示した図である。
【００１７】
実施例
図１には、現下の電話網として構成された通信ネットワークの配置構成の例がブロック回路図で示されている。このブロック回路図では２つの交換装置ＬＥ１，ＬＥ２が示されており、これらはそれぞれライン・トランク・グループＡＧおよび中継線ＴＲを介して相互連結され、さらに下位に置かれたネットワークＫＮとも接続されている。これらの２つの交換装置ＬＥ１，ＬＥ２は、さらに複数のライン・トランク・グループＡＧを有しており、それらを介して多数の通信端末装置ＫＥ１…ＫＥｍ、ＫＥｎ…ＫＥｚ、が当該２つの交換装置ＬＥ１，ＬＥ２に接続されている。個々の通信端末装置ＫＥ１…ＫＥｍ、ＫＥｎ…ＫＥｚは、アナログまたはディジタルの通信端末機として構成され得る（例えばパーソナルコンピュータ、アナログ電話端末装置、ディジタル電話端末装置など）。２つの交換装置ＬＥ１，ＬＥ２は、それぞれ１つのデータベースＤＢとその中に配置されたデータセットＤＳ１…ｍ、ＤＳ１…ｋを有する。この場合接続されている各通信端末装置ＫＥ１…ｍ、ＫＥｎ…ｚ毎に１つのデータセットＤＳ１…ｍ、ＤＳ１…ｋが通信端末装置の個々の情報の記憶のために設けられている。各データセットＤＳ１…ｍ、ＤＳ１…ｋにはとりわけそのつどの通信端末装置ＫＥ１…ｍ、ＫＥｎ…ｚを通信ネットワークＫＮ内で一義的にアドレス指定する識別情報が記憶される。これらの識別情報は、例えば加入者読出しナンバＲＮＲとして構成されており、これは通信ネットワークＫＮ内の通信関係のセットアップのために必要である。データベースＤＢ内に記憶されている加入者呼出しナンバＲＮＲによって、同時に、接続されている通信端末装置ＫＥ１…ＫＥｍ、ＫＥｎ…ＫＥｚに相応して割当てられている加入者接続線路も識別される。
【００１８】
この実施例に対しては、第１の交換装置ＬＥ１に接続されている通信端末装置ＫＥcが、アナログ電話端末装置として構成されていてもよく、これには加入者呼出しナンバＲＮＲ＝１２３が割当てられている。この割当てられた呼出しナンバＲＮＲ＝１２３は、データベースＤＢの相応のデータセットＤＳｃに記憶されている。さらに第１及び第２の交換装置ＬＥ１，ＬＥ２によって、限られた規模のみのユーザー・パフォーマンス・フィーチュアが第１の交換装置ＬＥ１に接続されている通信端末装置ＫＥ１…ｍを準備する。電話端末装置として構成された通信端末装置ＫＥｃは、ここにおいて以下でも説明する本発明による方法を用いることにより、拡張された規模のユーザー・パフォーマンス・フィーチュアを提供する。
【００１９】
図２には、アナログ電話端末装置ＫＥｃに対して提供されるユーザー・パフォーマンス・フィーチュアの所望の拡張のための本発明による方法の実現例が示されている。図２には、図１において示された、中継線ＴＲを介して相互に接続された交換装置ＬＥ１，ＬＥ２が、それに接続されている通信端末装置ＫＥ１…ＫＥｍ、ＫＥｎ…ＫＥｚと共に示されており、そのためそれらの個々での詳細な説明は省く。ただ図１とは異なって、図２では、第１の交換装置ＬＥ１がさらなる中継線ＴＲを介してさらなる交換装置ＣＯＮＴのライン・トランク・グループＡＧに接続されている。このさらなる交換装置ＣＯＮＴは例えば最新の機能性を備えた交換システムとして構成されており、これによって前述したような拡張された規模のユーザー・パフォーマンス・フィーチュアが提供できる。以下では拡張された規模のゆーざーを提供できる交換装置ＣＯＮＴを制御交換装置とも称する。この制御交換装置ＣＯＮＴにはさらなるライン・トランク・グループないし加入者接続線路を介してさらなる局所的通信端末装置ＫＥＬが接続されている。この制御交換装置ＣＯＮＴは、さらなるライン・トランク・グループＡＧを介して上位の通信ネットワークＫＮにも接続されている。この制御交換装置ＣＯＮＴは、データセットＤＳＣ１…ｌを有するデータベースＤＢＣを有している。これらのデータベースＤＢＣ１…ｌは、それぞれ１つの局所的に接続されている通信端末装置ＫＥＬに割当てられており、この場合は各データセットＤＳＣ１…ｌにはそれぞれ、当該制御交換装置ＣＯＮＴに接続されている局所的通信端末装置ＫＥＬと、上位におかれた通信ネットワークＫＮとの間の通信関係セットアップのための、通信端末装置個別の情報が記憶されている。さらに、接続されている局所的通信端末装置ＫＥＬにはそのつどの通信端末装置個別のユーザー・パフォーマンス・フィーチュアが対応付けられており、この場合それぞれ対応付けられているユーザー・パフォーマンス・フィーチュアを表わす情報が各データセットＤＳＣ１…ｌに記憶されている。
【００２０】
本発明の方法によれば、第１の交換装置ＬＥ１に物理的に接続されているアナログ電話端末装置ＫＥｃが制御交換装置ＣＯＮＴを仮想の通信端末装置ＫＥｃ′として、ないしは仮想加入者として割当る（これは図２中に破線と両方向矢印で示されている）。この場合仮想的に割当てられた通信端末装置ＫＥｃ′の相応のデータセットＤＳＣｃが制御交換装置ＣＯＮＴのデータベースＤＢＣに設けられている。この仮想通信端末装置ＫＥｃのために設けられているデータセットＤＳＣｃには、アナログ電話端末装置ＫＥｃに最初に割当てられた加入者呼出しナンバＲＮＲ＝１２３が、通信ネットワークＫＮ内の通信関係セットアップのために記憶されている。局所的に制御交換装置ＣＯＮＴに接続されている“現実”の通信端末装置ＫＥＬとは反対に、仮想的に割当てられた電話端末装置ＫＥｃ′には通信端末装置個別の情報として加入者接続線路は何も割当てられない。本発明によれば、相応のデータセットＤＳＣｃににはアドレッシング情報ないし識別情報が記憶されており、それによって現実の、つまり物理的に第１の交換装置ＬＥ１に接続されている電話端末装置ＫＥｃに対するユーザーチャネルコネクションｖｎｋが、中継線ＴＲを介してセットアップされ得る。仮想通信端末装置ＫＥｃ′には、制御交換装置ＣＯＮＴによって提供されるユーザー・パフォーマンス・フィーチュアが割当てられ、この場合相応の構成情報がそのつどのデータセットＤＳＣｃに記憶される。
【００２１】
制御交換装置ＣＯＮＴのデータベースＤＢＣにおいて相応のデータセットＤＳＣｃに記憶されているアドレッシング情報は、例えば中継線ＴＲを介した第１の交換装置ＬＥ１に対する接続の識別子や、制御交換装置ＣＯＮＴと第１の交換装置ＬＥ１の間で内部的にのみ利用される付加的な加入者呼出しナンバＶＮＲを含んでいる。この内部的な加入者呼出しナンバＶＮＲは、通信ネットワークからのダイヤリングが不可能であり、簡単なアルゴリズムを用いて元の通信端末装置ＫＥｃに割当てられている加入者呼出しナンバＲＮＲから導出可能である。以下の明細書では、この内部的な加入者呼出しナンバＶＮＲを仮想加入者呼出しナンバとも称するものとする。当該の実施例では、仮想加入者呼出しナンバＶＮＲは、次のことによって形成される。すなわち元の電話端末装置ＫＥｃに割当てられた加入者呼出しナンバＲＮＲ＝１２３が１６進法の数字領域からの文字を前置することによって形成される。当該実施例ではアナログ電話端末装置ＫＥｃに、仮想呼出しナンバＶＮＲ＝Ｅ１２３が割当てられる。この仮想呼出しナンバＶＮＲ＝Ｅ１２３は、第１の交換装置ＬＥ１のデータベースＤＢの相応のデータセットＤＳｃ内に元の割当てられた加入者呼出しナンバＲＮＲ＝１２３の代わりに記憶される。この仮想呼出しナンバＶＮＲ＝Ｅ１２３は同時に、仮想電話端末装置ＫＥｃ′のために設けられている制御交換装置ＣＯＮＴのデータベースＤＢＣのデータセットＤＳＣｃ内にも記憶される。本発明によればデータセットＤＳＣｃ内には、仮想電話端末装置ＫＥｃ′に対応するそれぞれの現実の加入者呼出しナンバと、相応の仮想加入者呼出しナンバの対応付けが記憶される（ここではＲＮＲ＝１２３⇔ＶＮＲ＝Ｅ１２３）。
【００２２】
制御交換装置ＣＯＮＴに仮想的に割当てられた電話端末装置ＫＥｃ′は、制御交換装置ＣＯＮＴに局所的に接続されている通信端末装置ＫＥＬのように管理/処理が可能である。この仮想電話端末装置ＫＥｃ′の大部分は、管理部を用いて実際の加入者のユーザー・パフォーマンス・フィーチュアに割当てられる。例えば仮想電話端末装置ＫＥｃ′には複数の加入者呼出し番号が割当て可能であり、詳細な呼出しが受容、転送または拒絶可能である。この仮想電話端末装置ＫＥｃ′は、さらに“ハンティンググループ”かまたは“セントレックスグループ”に割当て可能である。制御交換装置ＣＯＮＴによって提供される、通信端末装置毎の個別の設定ないし構成に対しては、相応の加入者自身の入力が第１の交換装置ＬＥ１に物理的に接続されている電話端末装置ＫＥｃにおいて行われてもよい。ユーザー・パフォーマンス・フィーチュアの構成のための加入者自身の入力の実施に対して、及び上位に置かれた通信ネットワークＫＮへの通信関係のセットアップに対しては、第１の交換装置ＬＥ１に接続されている電話端末装置ＫＥｃが次のように管理される。すなわち通信端末装置ＫＥｃの活動化（例えば受話器のピックアップなど）の際に、制御交換装置ＣＯＮＴに対するユーザーチャネルコネクションｖｎｋが中継線ＴＲを介してセットアップされ、電話端末装置ＫＥｃに割当てられた、仮想加入者呼出しナンバＲＮＲ＝Ｅ１２３がＣＬＩ（Calling Line Identification）として制御交換装置ＣＯＮＴに伝送される。この制御交換装置ＣＯＮＴ内に設けられている評価手段によって、伝送された仮想加入者呼出しナンバＶＮＲ＝Ｅ１２３を用いて相応のデータセットＤＳＣｃがデータベースＤＢＣ内で求められ、セットアップされた接続が、識別された仮想電話端末装置ＫＥｃ′に割当てられる。引続きユーザーチャネルコネクションｖｎｋを介して伝送されるシグナリング情報が相応に評価され、継続処理される。
【００２３】
電話端末装置ＫＥｃから通信ネットワークＫＮ方向に仲介すべき通信関係の場合には、制御交換装置ＣＯＮＴによって、伝送される仮想加入者呼出しナンバＶＮＲ＝Ｅ１２３が、相応の現実の加入者呼出しナンバＲＮＲ＝１２３へ変換され、このナンバによって電話端末装置ＫＥｃが通信ネットワークＫＮ内で一義的にアドレス指定される。この変換された加入者呼出しナンバＲＮＲ＝１２３は引続き通信ネットワークＫＮ内の通信関係のセットアップの際にシグナリング情報の枠内で引続き交換接続される。
【００２４】
電話端末装置ＫＥｃの方向で伝送すべき通信関係ないし接続、例えば目標−読出しナンバＲＮＲ＝１２３による接続がまず制御交換装置ＣＯＮＴによって交換接続される。制御交換装置ＣＯＮＴに配設された評価手段によって、伝送された加入者呼出しナンバＲＮＲ＝１２３を用いて、データベースＤＢの相応するデータセットＤＢＣｃが求められ、詳細な通信関係が仮想的に割当てられた通信端末装置ＫＥｃとして引続き交換接続すべき通信関係を識別する。制御交換装置ＣＯＮＴにより、加入者呼出しナンバＲＮＲ＝１２３は、仮想加入者呼出しナンバＶＮＲ＝Ｅ１２３に変換される。
【００２５】
引続き第１の交換装置ＬＥ１へのユーザーチャネルコネクションｖｎｋが中継線ＴＲを介してセットアップされる。第１の交換装置ＬＥ１内に配設されている評価手段によって、伝送された仮想加入者呼出しナンバＶＮＲ＝Ｅ１２３を用いて、データベースＤＢ内の相応のデータセットＤＳｃが求められる。このデータセットによって加入者接続線路が電話端末装置ＫＥｃに対してアドレス指定される。続いてユーザーチャネルコネクションｖｎｋを介した通信関係が、制御交換装置ＣＯＮＴから第１の交換装置ＬＥ１を介して電話端末装置ＫＥｃへ引続きシグナリングされる。
【００２６】
電話端末装置ＫＥｃの側での加入者自身の入力の枠内で制御交換装置ＣＯＮＴによって提供されるユーザー・パフォーマンス・フィーチュアのコンフィグレーションないし設定調整に対しては、前述したような手法でユーザーチャネルコネクションｖｎｋが第１の交換装置ＬＥ１から中継線ＴＲを介して制御交換装置ＣＯＮＴに向けてセットアップされる。その場合接続形成の際にデータセットＤＳｃ内に記憶されている仮想加入者呼出しナンバＶＮＲ＝Ｅ１２３が伝送される。この仮想加入者呼出しナンバＶＮＲ＝Ｅ１２３の評価によって、すなわち仮想加入者呼出しナンバＶＮＲ＝Ｅ１２３とデータベースＤＢＣ内に記憶されている情報との比較によって、電話端末装置ＫＥｃが仮想電話端末装置ＫＥｃ′として識別される。ユーザーチャネルコネクションを介して、加入者自身の入力を用いて例えば電話端末装置ＫＥｃの操作パネルにおいて入力される、ユーザー・パフォーマンス・フィーチュアのコンフィグレーションのためのコンフィグレーション情報、例えば第１の交換装置ＬＥ１から制御交換装置ＣＯＮＴへダイヤリング情報としてＢ呼出しナンバなどが伝送される。コンフィグレーション情報の伝送に対しては、例えばサフィックダイヤリング方式もしくはＭＦＶ（Mehrfrequenz-Wahlverfahren）方式を介した“帯域内”ナンバ伝送手段が用いられる。それに対しては第１の交換装置ＬＥ１がＭＦＶ方式可能に構成されなければならない。さらに制御交換装置ＣＯＮＴにおいては相応の手段、ＭＦＶ受信機などがＭＦＶ方式を用いて伝送された情報の評価のために配設されなければならない。制御交換装置ＣＯＮＴによって提供される１つまたは複数のユーザー・パフォーマンス・フィーチュアのコンフィグレーションの後では、例えば相応の加入者自身の入力によって、中継線ＴＲを介してセットアップされるユーザーチャネルコネクションｖｎｋが、制御交換装置ＣＯＮＴと第１の交換装置ＬＥ１の間でセットアップされる。この場合構成されたユーザー・パフォーマンス・フィーチュアのさらなる制御が、制御交換装置ＣＯＮＴによって行われる。仮想電話端末装置ＫＥｃ′に対して提供されるユーザー・パフォーマンス・フィーチュアの制御ないし実施は、この場合仮想電話端末装置ＫＥｃ′に割当てられたデータセットＤＢｃ内に記憶されている現実の加入者呼出しナンバＲＮＲ＝１２３を用いて行われる。仮想通信端末装置ＫＥｃ′に割当てられたユーザー・パフォーマンス・フィーチュアの実施の枠内では、第１の交換装置ＬＥ１に物理的に接続されている電話端末装置ＫＥｃとの接続が必要である。それにより前述したような方式で、仮想加入者呼出しナンバＶＮＲ＝Ｅ１２３を用いて、制御交換装置ＣＯＮＴから中継線ＴＲを介して第１の交換装置ＬＥ１までの間、および該交換装置ＬＥ１から電話端末装置ＫＥｃまでのユーザーチャネルコネクションｖｎｋがセットアップされる。
【００２７】
仮想通信端末装置ＫＥｃ′との通信関係のセットアップが制御交換装置ＣＯＮＴによって制御されることにより、第１の交換装置ＬＥ１に物理的に接続されている電話端末装置ＫＥｃの現下の交換技術的ないしは作動技術的な状態が既知ないしは把握可能となる。この場合相応の、交換技術的ないし作動技術的な相応の状態を表わす状態情報が相応のデータセットＤＳＣｃに記憶される。記憶されている状態情報を用いることにより、本発明による方法の枠内では、現下の物理的に第１の交換装置ＬＥ１に接続されている電話端末装置ＫＥｃの交換技術的ないし作動技術的状態に依存した、制御交換装置ＣＯＮＴによって提供されるユーザー・パフォーマンス・フィーチュアの制御が実現可能となる(例えば呼出し状態に依存したユーザー・パフォーマンス・フィーチュア“Call-Forwarding on Busy”)。この場合制御交換装置ＣＯＮＴにおいては仮想通信端末装置ＫＥｃ′のための完全な“ビジー/アイドル−ハンドリング”が実施される。
【００２８】
制御交換装置ＣＯＮＴを介して第１の交換装置ＬＥ１に物理的に割当てられている電話端末装置ＫＥｃとの通信関係のセットアップは、コールチャネリングとも称する。このコールチャネリングによってはそのつどの現下の交換技術的および作動技術的通信端末装置ＫＥｃの状態が、制御交換装置ＣＯＮＴによって把握され、例えば交換技術的情報としてデータベースＤＢＣのそれぞれのデータセットＤＳＣｃ内に記憶され得る。
【００２９】
既に前述したような加入者呼出しナンバの変調と通信ネットワーク内のルーティングの管理的適合化を用いたコールチャネリングの実現の他に、２つのさらなる変化実施例に基づいて電話端末装置ＫＥｃの方向に交換接続すべき通信関係のコールチャネリングを行ってもよい。
【００３０】
図３には、加入者呼出しナンバＲＮＲの変調と交換技術的パフォーマンス・フィーチュア“ナンバーポータビリティ”の有効利用を用いた電話端末装置ＫＥｃの方向で交換接続すべき通信関係のコールチャネリングの第１の代替的変化実施例が示されている。既に第１の実施例において説明したように、電話端末装置ＫＥｃの加入者呼出しナンバＲＮＲはアドミニストレーション毎に次のように変調される。すなわちこれがもはや直接的には、つまり通信ネットワークＫＮからのダイヤリングは不可能であるが、しかしながら第１の交換装置ＬＥ１と制御交換装置ＣＯＮＴの間のルーティングのために利用可能である。もとの電話端末装置ＫＥｃに対応する加入者呼出しナンバＲＮＲないしはこの加入者呼出しナンバに対応する加入者線が“ポート”されたものとして特徴付けられ、この場合は移植を表わす情報（ここではＬＰ）が第１の交換装置ＬＥ１内のデータベースＤＢ内に記憶される。このポートされたものとして特徴付けられた電話端末装置ＫＥｃないしはその元の呼出しナンバＲＮＲには、さらなるナンバーポーティング加入者呼出しナンバＲＮＲｐが割当てられる。これが上位におかれた通信ネットワークＫＮ内に記憶される。このナンバーポーティング加入者呼出しナンバＲＮＲｐは、付加的にデータベースＤＢＣ内のデータセットＤＳＣｃ内に記憶される。元の加入者呼出しナンバＲＮＲを用いた通信ネットワークＫＮからの通信関係のセットアップの際には、通信関係がまず相応のダイヤルされた電話端末装置ＫＥｃの加入者線を有する第１の交換装置ＬＥ１に交換接続される（これは図中において第１の矢印１によって表わされている）。ダイヤルされた加入者線ないしは電話端末装置ＫＥｃのポートされた特徴付けにより、第１の交換装置ＬＥ１から通信ネットワークＫＮへの応答的な交換接続がなされる。通信ネットワークＫＮ内ではインテリジェンスネットの機能、例えばＳＣＰ（Service Controll Point）機能を用いて、元の加入者呼出しナンバＲＮＲに割当てられたさらなるナンバーポーティング加入者呼出しナンバＲＮＲｐが求められ、それによって制御交換装置ＣＯＮＴへの通信関係が引続き交換接続される（これは第３の矢印３によって表わされている）。制御交換装置ＣＯＮＴでは、データベースＤＢＣ内のダイヤルされたナンバーポーティング加入者呼出しナンバＲＮＲｐが仮想通信端末装置として割当てられた加入者呼出しナンバを同定し、この仮想通信端末装置の現下の交換技術的及び作動技術的状態の検査の後で通信関係を相応のデータセット内に記憶されているアドレス情報もしくは仮想加入者呼出しナンバＶＮＲを用いて中継線ＴＲを介して電話端末装置ＫＥｃにさらに交換接続させる（これは第３の矢印４で表わされている）。
【００３１】
図４は、加入者端子から制御交換装置ＣＯＮＴへの「自動的な呼転送」を用いる電話端末装置ＫＥｃの方向に交換すべき通信関係の呼び出しチャネリングの第２の代替的な変形実施例を示す。この「自動的な呼転送」は瞬時の交換装置により提供された交換技術的なパフォーマンス・フィーチャであり、「エクスチェンジ・コントロールド・コール・フォワーディング」ＥＣＣＦとも呼ばれる。２つの第１の実施例において既に記述されたように、電話端末装置ＫＥｃの加入者呼び出し番号ＲＮＲはアドミニストレーションによって次のように修正される。すなわち、これはもはや直接的に、すなわち通信ネットワークＫＮからはダイヤルされず、第１の交換装置ＬＥ１と制御交換装置ＣＯＮＴとの間のルーティングのために使用される。さらに、本来電話端末装置ＫＥｃ乃至は相応の加入者端子に割り当てられた加入者呼び出し番号ＲＮＲに対して制御交換装置ＣＯＮＴへの無条件の呼転送ＥＣＣＦがセットアップされ、相応に第１の交換装置ＬＥ１のデータベースＤＢに格納される。これは例えば相応のルーティング情報、この場合はＲＮＲｆをそれぞれの通信端末装置ＫＥｃに割り当てることによって実現され、この場合ルーティング情報ＲＮＲｆは付加的にデータベースＤＢＣの相応のデータセットＤＳＣｃに格納される。例えば通信ネットワークＫＮから通信関係を電話端末装置ＫＥｃの加入者端子に交換する場合、この通信関係は選択された加入者呼び出し番号ＲＮＲに基づいてまず最初に選択された加入者端子を有する第１の交換装置ＬＥ１に交換される。これは第１の矢印によって示されている。第１の交換装置ＬＥ１のデータベースＤＢに格納された無条件の呼転送、この場合はＲＮＲ：ＥＣＣＦ→ＲＮＲｆによって通信関係が制御交換装置ＣＯＮＴへ転送される乃至は交換される。これは第２の矢印によって示されている。転送された通信関係の枠内で伝達された情報ＲＮＲｆによってこの制御交換装置ＣＯＮＴによりデータベースＤＢＣにおいて相応のデータセットＤＢＣｃがもとめられ、通信関係がこのデータセットＤＢＣｃに格納されたアドレス指定情報ＶＮＲによってこの転送された通信関係を中継線ＴＲを介して電話端末装置ＫＥｃに交換する。これは第３の矢印によって示されている。
【００３２】
第１の交換装置ＬＥ１が相応に構成されているならば、任意にベル音及び場合によっては異なるベル音音質が適当な手段によって第１の交換装置ＬＥ１において物理的にこれに接続された電話機ＫＥｃに対して発生される。異なるベル音乃至はベル音音質は、コントローラＣＯＮＴによって仮想電話機ＫＥｃに割り当てられた異なる仮想加入者呼び出し番号を使用することによって制御される。
【００３３】
有利には、ライントランクグループを介して複数の中継線が第１の交換装置ＬＥ１と制御交換装置ＣＯＮＴとの間に設けられる。図２には図示されていないが、中継線が複数設けられている場合、これに接続された電話装置ＫＥｃからの乃至はこれに接続された電話装置ＫＥｃへの優先順位をつけられたコネクション制御が実現される。
【００３４】
本発明の方法の有利な実施形態によれば、制御交換装置ＣＯＮＴに仮想的に割り当てられた複数の通信端末装置ＫＥ１...ｍ、ＫＥｎ...ｚが１つのグループにまとめられ、相応のグループ情報が制御交換装置ＣＯＮＴのデータベースＤＢＣに格納される。１つのグループにまとめられた通信端末装置ＫＥ１...ｍ、ＫＥｎ...ｚには制御交換装置ＣＯＮＴによって付加的なグループ固有の機能が与えられ、これら付加的なグループ固有の機能によって例えば構内交換機のパフォーマンス・フィーチャ及び/又は特性が実現される。グループに割り当て可能なグループ固有のパフォーマンス・フィーチャの例は、
グループ独自のパイロット呼び出し番号の割り当て、
ハンティング・アルゴリズムとも呼ばれる、グループ独自のサーチ方法の割り当てである。
【００３５】
グループに割り当てられたサーチ方法によって、グループ独自のパイロット呼び出し番号の選択の際に、瞬時にフリーな加入者端子乃至は瞬時にフリーな通信端末装置がグループ内でもとめられる。このグループには通信ネットワークＫＮに設けられた異なる交換装置に接続された更に別の通信端末装置ＫＥ１...ｚ乃至は加入者端子が上記の仮想割り当てを用いて割り当てられる。さらに、ローカルに制御交換装置ＣＯＮＴに接続された通信端末装置ＫＥＬをこのグループに割り当てることもできる。
【００３６】
更なるグループ独自のパフォーマンス・フィーチャとしては、複数の加入者端子乃至は通信端末装置を含むグループに少なくとも１つの待ち行列が割り当てられる。待ち行列は通常は構内交換機において実現される機能であり、これらの機能は例えばコールセンタにおいて使用される。設けられたグループＳＨにパフォーマンス・フィーチャ「待ち行列」を割り当てるために、制御交換装置ＣＯＮＴのデータベースＤＢＣには更に別のメモリ領域が割り当てられ、この更に別のメモリ領域によって複数の一時的な待ち位置が実現される。これらの一時的な待ち位置では幾つかの到着する通信関係がターミネートされ、アナウンスメントユニットに転送される。待ち行列の機能は次のように構成されている。すなわち、加入者呼び出し番号に向けられた通信関係乃至はコネクションは、相応の通信端末装置がフリーである限りは直接相応の通信端末装置に交換される。グループのパイロット呼び出し番号に向けられた通信関係の場合には、グループ独自のサーチ方法がアクティブになる。このサーチ方法の枠内でフリーな加入者端子乃至はフリーな有効データチャネル乃至はフリーな通信端末装置が検出できない場合には、当該通信関係は待ち行列に入れられる。加入者端子乃至は有効データチャネル乃至は通信端末装置が瞬時にフリーであると検出されるやいなや、待ち行列に入れられた通信関係がフリーになった加入者端子に交換される。待ち行列に入れられた複数の通信関係がある場合には、選択法を用いて通信関係が選択され、交換される。通信関係は例えばＦＩＦＯ原理によって又は優先権制御で選択される。
【００３７】
有利な適用実施形態によれば、本発明の方法は、例えば制限された量のユーザー・パフォーマンス・フィーチャしか提供できない「古くなった」通信ネットワークの更新乃至は現代化のために使用される。このために更新すべき通信ネットワークにおいて新しい高性能の交換装置乃至は制御交換装置が配置されるので、これらのサービスエリアにはそれぞれ提供されるユーザー・パフォーマンス・フィーチャの量においてもはや十分ではなくそれゆえ交代すべき古い交換装置が存在する。これらの古くなった交換装置において、これらの中に含まれる加入者端子のためのライントランクグループ及び接続された加入者線から上位の最新の交換装置へと中継線を介して流れるトラフィックの転送はまだ使用され、この結果、到着するコネクションを接続された加入者線を介して通信端末装置に分配する。古くなった交換装置は本発明の方法の考え方ではその機能において集線装置として利用され、これらの古い交換装置によってはユーザー・パフォーマンス・フィーチャの制御は行われない。ユーザー・パフォーマンス・フィーチャの制御がもはや必要ではないためにこれらの古くなった交換装置の機能範囲は制限されるが、交換装置において実現された制御ソフトウェアの変更は必要ではない。本発明の方法の実現のためには、古くなった交換装置においてまだ次のような機能が必要である。すなわち、
これに接続された通信端末装置の作動技術的な及び交換技術的な状態を監視するための加入者端子及び所属の回線制御（「ビジー/アイドルハンドリング、リンギング、ＭＦＶ」）、
交換装置から上位の交換装置への少なくとも１つの中継線、
中継線が例えばＴＵＰ、ＩＳＵＰ又はＭＦＣ-Ｒ２線として構成され得ること、
接続された加入者乃至は通信端末装置に仮想加入者呼び出し番号を割り当てる可能性、
低減された機能範囲を有する古い交換装置に設けられた交換技術、例えばこれに接続された通信端末装置から発するコネクションが直接的に制御交換装置に転送されること、制御交換装置ＣＯＮＴを介して到着する全てのコネクションが加入者呼び出し番号乃至は仮想加入者呼び出し番号によって直接相応の接続された通信端末装置に転送されること、
ローカル・アドミニストレーション、整備乃至はメンテナンス及びプロテクション技術である。
【００３８】
有利には、図２の通信装置において第１の交換装置ＬＥ１に接続された通信端末装置ＫＥ１...ｍのうちの少なくとも１つを、携帯電話とも呼ばれるワイヤレス移動無線通信端末機器として構成することができる。相応に第１の交換装置ＬＥ１は移動無線ネットワークに設けられた、ＭＳＣ乃至はモバイル・スイッチング・センターとも呼ばれる移動無線交換装置として構成することもできる。本発明の方法によって、移動無線交換装置に接続されたワイヤレス通信装置が上述のやり方で固定ネットワークに接続された上位の交換装置に仮想通信装置として割り当てられ、この固定ネットワークに設けられた交換装置によって移動無線加入者に例えばセントレックス・サービスが提供される。
【００３９】
本発明の方法の枠内で実現可能なユーザー・パフォーマンス・フィーチャの更なる例は、
フォワーディング（Ｂサイドで）、例えば
Call Forwarding Busy, Controlled by Subscriber（ＣＦＢ）
Call Forwarding Unconditional, Controlled by Operator（ＣＦＣＯ-Ｕ）
トランスファー、例えば
Call Transfer、A-Side（Secretary Call Transfer）
コール・ウェイティング、例えば
Call Waiting Deluxe（ＣＷＤ）
Call Waiting Indication for Called Subscriber（ＣＷＩ）
リコール、例えば
Automatic Call Memory Service（ＡＣＭ）
モーニングコール、例えば
Alarm Call Service
会議、例えば
Three-party Conference（ＴＰＣ）
Telemeeting（Meet me Conference）
メッセージ・ウェイティング・インジケーション、例えば
Message Waiting Indication, according ETSI
Message Waiting Indication, via Calling party number（ＭＷＩ）
インターネット、例えば
Call Completion Internet Busy（ＣＣＩＢ）
Call Waiting Internet Busy（ＣＷＩＢ）
である。
【図面の簡単な説明】
【図１】  現下の通信ネットワークの配置構成と、その中に配設されている、通信端末装置に対するユーザー・パフォーマンス・フィーチュアの限られた規模しか提供できない交換装置を示した図である。
【図２】  図１による通信ネットワークにおいてユーザー・パフォーマンス・フィーチュアの拡大された規模を提供する本発明による方法の実現例を示した図である。
【図３】  本発明による方法の実施に対して必要とされる呼出しチャネル形成の変化実施例を示した図である。
【図４】  本発明による方法の実施に対して必要とされる呼出しチャネル形成のさらなる変化実施例を示した図である。
【図１】
0003740418.tif 000002
【図２】
0003740418.tif 000003
【図３】
0003740418.tif 000004
【図４】
0003740418.tif 000005